(57)【要約】【課題】インク貯留部に誤った色のインクが補充される虞を低減できるインク消費装置、接続機構、及びインク補充容器を提供する。【解決手段】インク入口４１が形成されてインクを貯留可能なインク貯留部３８と、インク補充容器３６が備える容器側端子と近接又は接触した場合に、容器側端子と電気的に接続可能な装置側端子と、装置側端子と容器側端子の電気的な接続状態に基づいてインク補充容器３６に形成されたインク出口５３とインク入口４１の接続を促す接続動作を実行する制御部と、を備える。【選択図】図８
2019038170.tif 000002
【特許請求の範囲】
【請求項１】
インク入口が形成されてインクを貯留可能なインク貯留部と、
インク補充容器が備える容器側端子と近接又は接触した場合に、該容器側端子と電気的に接続可能な装置側端子と、
前記装置側端子と前記容器側端子の電気的な接続状態に基づいて前記インク補充容器に形成されたインク出口と前記インク入口の接続を促す接続動作を実行する制御部と、
を備えることを特徴とするインク消費装置。
【請求項２】
前記インク入口と前記インク出口のうち閉塞部により塞がれた少なくとも一方を開放する開放機構を備えることを特徴とする請求項１に記載のインク消費装置。
【請求項３】
前記開放機構は、前記インク入口が形成されたインク注入部を移動させ、前記閉塞部により塞がれた前記インク出口を開放することを特徴とする請求項２に記載のインク消費装置。
【請求項４】
前記接続状態を報知する報知部を備えることを特徴とする請求項１〜請求項３のうち何れか一項に記載のインク消費装置。
【請求項５】
前記インク入口が形成された複数の前記インク貯留部と、
複数の前記インク貯留部に個別に対応する複数の前記装置側端子と、
を備え、
複数の前記装置側端子は、対応する各々の前記インク入口に対する配置位置が互いに異なることを特徴とする請求項１〜請求項４のうち何れか一項に記載のインク消費装置。
【請求項６】
前記インク補充容器が備える容器側係合部と係合可能な装置側係合部を複数備え、
複数の前記装置側係合部は、互いに形状が異なることを特徴とする請求項５に記載のインク消費装置。
【請求項７】
前記制御部は、前記インク補充容器が備える記憶部に記憶された容器情報を読み取り、該容器情報に基づいて前記接続動作を実行することを特徴とする請求項１〜請求項６のうち何れか一項に記載のインク消費装置。
【請求項８】
インク補充容器が備える容器側端子と近接又は接触した場合に、該容器側端子と電気的に接続可能な装置側端子と、
前記装置側端子と前記容器側端子の電気的な接続状態に基づいて前記インク補充容器に形成されたインク出口とインクを貯留可能なインク貯留部に形成されたインク入口の接続を促す接続動作を実行する制御部と、
を備えることを特徴とする接続機構。
【請求項９】
インク入口が形成されてインクを貯留可能なインク貯留部に補充する前記インクを収容可能なインク収容部と、
前記インク収容部に収容された前記インクを供給するインク出口が形成されたインク供給部と、
装置側端子と近接又は接触した場合に該装置側端子と電気的に接続可能な容器側端子と、
を備え、
前記インク出口は、前記装置側端子と前記容器側端子の電気的な接続状態に基づいて、前記インク入口との接続を促されることを特徴とするインク補充容器。
【請求項１０】
前記インク出口は、前記インク供給部の先端に形成され、前記インク供給部の内部に設けられたインク流出路により前記インク収容部と連通し、
前記容器側端子は、前記インク供給部の外周に設けられることを特徴とする請求項９に記載のインク補充容器。
【発明の詳細な説明】
【技術分野】
【０００１】
本発明は、プリンターなどのインク消費装置、インク消費装置などが備える接続機構、インク消費装置に補充するインクを収容するインク補充容器に関する。
【背景技術】
【０００２】
インク消費装置の一例として、インクタンクから供給されたインクを記録ヘッドから用紙に吐出することで記録（印刷）するインクジェット式のプリンターがある（例えば特許文献１）。こうしたプリンターでは、複数色のインクを記録ヘッドから吐出して記録する。そのため、プリンターは、それぞれ異なる色のインクを貯留する複数のインク室（インク貯留部）を備えていた。
【先行技術文献】
【特許文献】
【０００３】
【特許文献１】特開２０１６−８７８４４号公報
【発明の概要】
【発明が解決しようとする課題】
【０００４】
各インク室には、インクを注入（補充）するための注入口（インク入口）が形成されている。注入口から注入されたインクは、対応するインクチューブを経由して記録ヘッドに供給される。そのため、注入口から誤った色のインクが注入されると、適切な記録ができなくなる虞があった。
【０００５】
こうした課題は、インクタンクを備えるプリンターに限らず、インク消費装置、接続機構、及びインク補充容器においては、概ね共通している。
本発明の目的は、インク貯留部に誤った色のインクが補充される虞を低減できるインク消費装置、接続機構、及びインク補充容器を提供することにある。
【課題を解決するための手段】
【０００６】
以下、上記課題を解決するための手段及びその作用効果について記載する。
上記課題を解決するインク消費装置は、インク入口が形成されてインクを貯留可能なインク貯留部と、インク補充容器が備える容器側端子と近接又は接触した場合に、該容器側端子と電気的に接続可能な装置側端子と、前記装置側端子と前記容器側端子の電気的な接続状態に基づいて前記インク補充容器に形成されたインク出口と前記インク入口の接続を促す接続動作を実行する制御部と、を備える。
【０００７】
この構成によれば、制御部は、装置側端子と容器側端子の電気的な接続状態に基づいてインク出口とインク入口の接続を促すため、インク補充容器とインク貯留部を適切な組み合わせで接続できる。したがって、インク補充容器に形成されたインク出口がインク貯留部に形成されたインク入口に誤って接続され、インク貯留部に誤った色のインクが補充される虞を低減できる。
【０００８】
上記インク消費装置は、前記インク入口と前記インク出口のうち閉塞部により塞がれた少なくとも一方を開放する開放機構を備えることが好ましい。
この構成によれば、インク出口とインク入口は、開放機構により開放される。そのため、容易にインク入口とインク出口の接続を促すことができる。
【０００９】
上記インク消費装置において、前記開放機構は、前記インク入口が形成されたインク注入部を移動させ、前記閉塞部により塞がれた前記インク出口を開放することが好ましい。
この構成によれば、開放機構は、閉塞部により塞がれたインク出口をインク入口が形成されたインク注入部を移動させて開放する。そのため、インク出口とインク入口を容易に接続できる。
【００１０】
上記インク消費装置は、前記接続状態を報知する報知部を備えることが好ましい。
この構成によれば、報知部により接続状態を報知するため、接続状態を認識しやすくできる。
【００１１】
上記インク消費装置は、前記インク入口が形成された複数の前記インク貯留部と、複数の前記インク貯留部に個別に対応する複数の前記装置側端子と、を備え、複数の前記装置側端子は、対応する各々の前記インク入口に対する配置位置が互いに異なることが好ましい。
【００１２】
この構成によれば、複数の装置側端子は、対応する各々のインク入口に対する配置位置が互いに異なる。そのため、制御部は、容器側端子と装置側端子とが接続したか否かに応じて接続動作を実行することができる。
【００１３】
上記インク消費装置は、前記インク補充容器が備える容器側係合部と係合可能な装置側係合部を複数備え、複数の前記装置側係合部は、互いに形状が異なることが好ましい。
この構成によれば、複数の装置側係合部は、互いに形状が異なる。そのため、インク補充容器とインク貯留部の組み合わせが正しい場合に容器側係合部と装置側係合部を係合可能とすることでインク補充容器とインク貯留部が誤った組み合わせで接続される虞を低減できる。
【００１４】
上記インク消費装置において、前記制御部は、前記インク補充容器が備える記憶部に記憶された容器情報を読み取り、該容器情報に基づいて前記接続動作を実行することが好ましい。
【００１５】
この構成によれば、制御部は、記憶部に記憶された容器情報に基づいて接続動作を実行する。そのため、インク補充容器とインク貯留部との組み合わせが正しい場合に行う接続動作の精度を向上できる。
【００１６】
上記課題を解決する接続機構は、インク補充容器が備える容器側端子と近接又は接触した場合に、該容器側端子と電気的に接続可能な装置側端子と、前記装置側端子と前記容器側端子の電気的な接続状態に基づいて前記インク補充容器に形成されたインク出口とインクを貯留可能なインク貯留部に形成されたインク入口の接続を促す接続動作を実行する制御部と、を備える。
【００１７】
この構成によれば、制御部は、装置側端子と容器側端子の電気的な接続状態に基づいてインク出口とインク入口の接続を促すため、インク補充容器とインク貯留部を適切な組み合わせで接続できる。したがって、インク補充容器に形成されたインク出口がインク貯留部に形成されたインク入口に誤って接続され、インク貯留部に誤った色のインクが補充される虞を低減できる。
【００１８】
上記課題を解決するインク補充容器は、インク入口が形成されてインクを貯留可能なインク貯留部に補充する前記インクを収容可能なインク収容部と、前記インク収容部に収容された前記インクを供給するインク出口が形成されたインク供給部と、装置側端子と近接又は接触した場合に該装置側端子と電気的に接続可能な容器側端子と、を備え、前記インク出口は、前記装置側端子と前記容器側端子の電気的な接続状態に基づいて、前記インク入口との接続を促される。
【００１９】
この構成によれば、インク出口は、装置側端子と容器側端子の電気的な接続状態に基づいてインク入口との接続を促される。そのため、インク補充容器に形成されたインク出口がインク貯留部に形成されたインク入口に誤って接続され、インク貯留部に誤った色のインクが補充される虞を低減できる。
【００２０】
上記インク補充容器において、前記インク出口は、前記インク供給部の先端に形成され、前記インク供給部の内部に設けられたインク流出路により前記インク収容部と連通し、前記容器側端子は、前記インク供給部の外周に設けられることが好ましい。
【００２１】
この構成によれば、インク流出路を介してインク収容部と連通するインク出口がインク供給部の先端に形成され、容器側端子がインク供給部の外周に設けられている。そのため、インク出口をインク入口に近づけることで容器側端子を装置側端子に容易に接続できる。
【図面の簡単な説明】
【００２２】
【図１】一実施形態のインク消費装置を備える複合機の斜視図。
【図２】インク補充容器が装着された複合機の斜視図。
【図３】筐体の一部の図示を省略した複合機の正面図。
【図４】タンクユニットの平面図。
【図５】インク補充容器の部分斜視図。
【図６】インク補充容器の部分断面図。
【図７】インク消費装置とインク補充容器の電気的構成を示すブロック図。
【図８】アダプターに装着されたインク補充容器の部分断面図。
【図９】インク出口がインク入口に接続したインク補充容器の部分断面図。
【図１０】第１変更例のインク補充容器の模式図。
【図１１】インク出口がインク入口に接続したインク補充容器の模式図。
【図１２】第２変更例のインク補充容器の模式図。
【図１３】インク出口がインク入口に接続したインク補充容器の模式図。
【発明を実施するための形態】
【００２３】
以下、インク消費装置の一実施形態について図面を参照して説明する。本実施形態のインク消費装置は、用紙などの媒体に対して液体の一例であるインクを噴射して媒体に文字や画像等を印刷（記録）するインクジェット式のプリンターである。
【００２４】
図１に示すように、複合機１１は、インク消費装置１２と、インク消費装置１２上に配置されてインク消費装置１２の上側を覆う画像読取装置１３と、を備え、全体として略直方体状をなしている。
【００２５】
図１では、複合機１１が水平面上に置かれているものとして鉛直方向をＺ軸で示し、鉛直方向に対して垂直な水平面に沿う方向をＸ軸及びＹ軸で示す。Ｘ軸、Ｙ軸、及びＺ軸は、互いに直交する。以下の説明では、Ｘ軸に沿う方向を幅方向、Ｙ軸に沿う方向を奥行方向ともいい、幅方向、奥行方向、及び鉛直方向は、相互に交差（好ましくは直交）する。奥行方向は、一端側を前面側もしくは前側、一端側とは反対の他端側を背面側もしくは後側ということもある。
【００２６】
インク消費装置１２の前面側には、印刷した媒体１５を排出する排出部１６と、排出部１６の上側に位置する操作パネル１７と、排出部１６及び操作パネル１７と幅方向に並ぶタンクユニット１８と、が設けられている。
【００２７】
操作パネル１７は、インク消費装置１２や画像読取装置１３を操作するためのボタンなどの操作部２０と、インク消費装置１２や画像読取装置１３の情報を表示する表示部２１と、を有する。
【００２８】
タンクユニット１８は、複数（本実施形態では５つ）のインクタンク２３を保持し、複数のインクタンク２３に一括で組み付けられるアダプター２４と、アダプター２４を覆うカバー２５と、を備える。タンクユニット１８は、インク消費装置１２の筐体２６の一部を構成し、インクタンク２３は、インク消費装置１２の筐体２６内に設けられる。筐体２６には、各インクタンク２３と対応するように少なくとも１つ（本実施形態では５つ）の窓部２７が形成されている。
【００２９】
筐体２６内には、媒体１５にインクを付着させて印刷する印刷部２９と、インクタンク２３に貯留されたインクを印刷部２９に供給するための供給チューブ３０と、が設けられている。印刷部２９は、ノズル（図示略）からインクを噴射するインク噴射ヘッド３１と、インク噴射ヘッド３１を保持して幅方向（走査方向）に往復移動可能なキャリッジ３２と、を備える。すなわち、インクタンク２３は、供給チューブ３０を介してインク噴射ヘッド３１に連通し、インク噴射ヘッド３１へ供給するインクを貯留する。印刷部２９は、移動するインク噴射ヘッド３１から媒体１５に向かってインクを噴射して消費し、媒体１５に文字や画像などを印刷する。
【００３０】
図２に示すように、画像読取装置１３は、背面側に設けられたヒンジなどの回転機構３４を介して取り付けられている。画像読取装置１３は、インク消費装置１２に対して開閉可能であり、図１に示す閉位置と、図２に示す開位置との間で回動する。画像読取装置１３を開位置に位置させると、カバー２５及びインクタンク２３に取り付けられた栓３５が開閉可能となる。
【００３１】
インクタンク２３にインクを補充する場合には、図２に示すように、画像読取装置１３、カバー２５、及び栓３５を開位置に位置させ、補充用のインクを収容したインク補充容器３６をアダプター２４に装着する。
【００３２】
図３に示すように、インクタンク２３は、インクを貯留可能なインク貯留部３８を有する。インク貯留部３８には、それぞれ異なる種類（例えば、シアン、マゼンタ、イエロー、ブラックなどの色や、顔料や染料などの着色剤）のインクが貯留される。本実施形態では、貯留量が多いブラック用の第１インクタンク２３Ａが操作パネル１７側に１つ設けられ、第１インクタンク２３Ａよりも貯留量が少ないカラー用の第２インクタンク２３Ｂが４つ設けられている。
【００３３】
インクタンク２３は、インク貯留部３８にインクを注入可能なインク注入部３９を有する。インク注入部３９の先端には、インク流入路４０（図４参照）を介してインク貯留部３８と連通するインク入口４１が形成されている。すなわち、インク消費装置１２は、インク入口４１が形成されたインク貯留部３８を複数備える。
【００３４】
インク注入部３９は、インクタンク２３を構成するタンクケース４２の上面４２ａから上方に向かって突出するように略円筒状に形成され、上面４２ａからの突出量が変化するように移動可能に設けられている。栓３５は、インク注入部３９の先端に係合し、インク入口４１を閉塞する。
【００３５】
図４に示すように、アダプター２４には、複数（本実施形態では５つ）の装置側係合部４４が幅方向に並んで形成されている。装置側係合部４４は、平面視で略円形の第１凹部４５と、平面視で略矩形の一対の第２凹部４６と、第２凹部４６内に形成された装置側凹凸部４７と、を有する。第１凹部４５の中央には、インク注入部３９が挿通される挿通孔４８が形成されている。装置側凹凸部４７の形状は、装置側係合部４４ごとに異なる。そのため、インク消費装置１２が備える複数の装置側係合部４４は、互いに形状が異なる。
【００３６】
インク消費装置１２は、複数（本実施形態では５つ）の装置側端子４９を備える。複数の装置側端子４９は、対応する各々のインク入口４１に対する配置位置が互いに異なるように装置側係合部４４に１つずつ配置されている。本実施形態では、複数の装置側端子４９がインク入口４１との奥行方向の間隔を互いに異ならせて設けられている。
【００３７】
インク消費装置１２は、インク貯留部３８とインク入口４１を有する１つのインクタンク２３に対応するように、供給チューブ３０、装置側係合部４４、及び装置側端子４９を１つずつ備える。換言すると、インク消費装置１２は、互いに対応するインクタンク２３、供給チューブ３０、インク貯留部３８、インク入口４１、装置側係合部４４、及び装置側端子４９の組み合わせを複数組備える。したがって、供給チューブ３０、インク入口４１、装置側係合部４４、及び装置側端子４９は、複数のインク貯留部３８に個別に対応するように複数設けられている。
【００３８】
次に、インク補充容器３６について説明する。
インク補充容器３６には、インク貯留部３８に貯留される複数種類のインクのうち、１種類のインクが収容される。本実施形態では、同じ色のインクを収容するインク貯留部３８とインク補充容器３６を正しい組み合わせとし、異なる色のインクを収容するインク貯留部３８とインク補充容器３６を誤った組み合わせとする。
【００３９】
図５に示すように、インク補充容器３６は、有底円筒状のインク容器本体５１と、インク容器本体５１の先端に設けられるインク供給部５２と、を備える。インク供給部５２の先端には、インク補充容器３６内に収容されたインクを流出可能とするインク出口５３が形成されている。インク供給部５２の外周には、装置側係合部４４と係合可能な容器側係合部５４が設けられている。容器側係合部５４には、容器側凹凸部５５が形成されている。容器側凹凸部５５の形状は、収容するインクの種類ごとに決められ、異なるインクを収容するインク補充容器３６では、容器側係合部５４の形状が互いに異なる。
【００４０】
装置側係合部４４と容器側係合部５４は、それぞれ対応するインク貯留部３８とインク補充容器３６の組み合わせが正しい場合に互いに係合可能であり、組み合わせが誤っている場合には係合不能とすることが好ましい。正しい組み合わせでは、インク消費装置１２が備える装置側係合部４４にインク補充容器３６が備える容器側係合部５４が係合し、インク補充容器３６がアダプター２４に装着される。
【００４１】
インク供給部５２の外周に設けられた容器側係合部５４の先端には、装置側端子４９と接続可能な容器側端子５６が設けられている。すなわち、容器側端子５６は、インク供給部５２の外周に設けられている。容器側端子５６は、インク出口５３に対する位置が収容するインクの種類ごとに決められ、異なるインクを収容するインク補充容器３６では、インク出口５３に対する位置が互いに異なる。容器側端子５６は、インク出口５３に対する間隔が、正しい組み合わせのインク貯留部３８に対応するインク入口４１と装置側端子４９との間隔と略同じとなる位置に設けられることが好ましい。
【００４２】
装置側端子４９と容器側端子５６は、それぞれ対応するインク貯留部３８とインク補充容器３６の組み合わせが正しい場合に電気的に接続可能であり、組み合わせが誤っている場合には接続不能とすることが好ましい。正しい組み合わせでインク補充容器３６がアダプター２４に装着されると、インク補充容器３６が備える容器側端子５６と装置側端子４９とが接触して電気的に接続する。
【００４３】
図６に示すように、インク容器本体５１内には、インク貯留部３８に補充するインクを収容可能なインク収容部５８が設けられている。インク供給部５２の内部には、インク出口５３とインク収容部５８とを連通するインク流出路５９が設けられている。インク出口５３は、インク収容部５８に収容されたインクを供給する。
【００４４】
インク供給部５２には、インク出口５３を塞ぐ閉塞部６０が設けられている。閉塞部６０は、例えばシリコン膜等の弾性部材にスリットを形成した弁である。閉塞部６０は、インク流出路５９を閉塞してインク出口５３を塞ぐ。
【００４５】
インク出口５３を塞ぐとは、インク流出路５９と外部とを非連通とし、インク収容部５８内のインクをインク出口５３から供給できない状態とすることをいう。そのため、閉塞部６０がインク出口５３を塞いでいる状態では、インク補充容器３６が収容するインクをインク貯留部３８に補充することができない。
【００４６】
次に、インク消費装置１２とインク補充容器３６の電気的構成について説明する。
図７に示すように、インク消費装置１２は、接続機構６２を備える。接続機構６２は、装置側端子４９と、インク消費装置１２における各機構の駆動を統括的に制御する制御部６３と、を備える。
【００４７】
インク消費装置１２は、閉塞部６０により塞がれたインク出口５３を開放する開放機構６４と、装置側端子４９と容器側端子５６の接続状態を報知する報知部６５と、を備える。制御部６３は、装置側端子４９及び操作部２０から入力された情報に基づいて開放機構６４、表示部２１、印刷部２９、報知部６５の駆動を制御する。報知部６５は、例えば点灯や点滅する光源、音やメッセージを発する音源である。開放機構６４は、インク注入部３９を移動させて閉塞部６０を開放する。
【００４８】
インク補充容器３６は、容器情報を記憶する記憶部６７を備える。容器情報は、例えば、インク収容部５８に収容するインクの色、インクの使用期限、インクの残量など、収容するインクやインク補充容器３６に関する情報である。制御部６３は、容器側端子５６及び装置側端子４９が接続されることで記憶部６７に記憶された容器情報を読み取り可能となる。
【００４９】
次に、インク貯留部３８にインクを補充する場合の作用について説明する。補充とは、空のインク貯留部３８にインクを注入する場合を含む。
インク補充容器３６とインク貯留部３８が誤った組み合わせの場合には、装置側係合部４４と容器側係合部５４とが係合せず、インク補充容器３６をアダプター２４に装着できない。
【００５０】
図７，図８に示すように、正しい組み合わせでインク補充容器３６がインク貯留部３８にインクを補充する場合には、装置側係合部４４と容器側係合部５４とが係合し、インク補充容器３６がアダプター２４に装着される。このとき、装置側端子４９と容器側端子５６とが電気的に接続され、制御部６３は、インク補充容器３６が備える記憶部６７に記憶された容器情報を読み取り可能となる。
【００５１】
制御部６３は、容器情報を読み取り、容器情報に基づいて接続動作を実行してもよい。例えば、容器情報に含まれる使用期限を徒過している場合には、制御部６３は、報知部６５に装置側端子４９と容器側端子５６の接続状態を報知させる。このとき、開放機構６４は、インク出口５３を開放しない。報知部６５は、装置側端子４９と容器側端子５６は電気的に接続されたこと、インク貯留部３８とインク補充容器３６の組み合わせは正しいこと、インク補充容器３６の使用期限を徒過していることなどを報知する。
【００５２】
例えば、容器情報に含まれるインクの残量が少ない場合には、制御部６３は、報知部６５に装置側端子４９と容器側端子５６の接続状態を報知させ、開放機構６４にインク出口５３を開放させる。すなわち、制御部６３は、装置側端子４９と容器側端子５６の電気的な接続状態及び容器情報に基づいてインク出口５３とインク入口４１の接続を促す接続動作を実行する。報知部６５は、装置側端子４９と容器側端子５６は電気的に接続されたこと、インク貯留部３８とインク補充容器３６の組み合わせは正しいこと、インクの残量が少なく他のインク補充容器３６が必要なことなどを報知する。
【００５３】
制御部６３は、容器情報には関係なく装置側端子４９と容器側端子５６の電気的な接続状態に基づいて接続動作を実行してもよい。例えば、制御部６３は、装置側端子４９と容器側端子５６が電気的に接続されると、開放機構６４を駆動して接続動作を実行すると共に、報知部６５に接続状態を報知させてもよい。
【００５４】
図９に示すように、接続動作では、開放機構６４は、容器側端子５６が接続した装置側端子４９と対応するインク注入部３９を移動させ、閉塞部６０により塞がれたインク出口５３を開放する。開放機構６４は、インクタンク２３の上面４２ａからの突出量が多くなるようにインク注入部３９をインク補充容器３６側（図９における上側）へ移動させ、インク入口４１が形成されたインク注入部３９の先端で閉塞部６０を外部から押す。これにより閉塞部６０が開弁してインク出口５３が開放される。具体的には、閉塞部６０により塞がれたインク出口５３は、装置側端子４９と容器側端子５６の電気的な接続状態に基づいて開放され、インク入口４１と接続する。
【００５５】
インク出口５３を開放するとは、インク流出路５９と外部とを連通させ、インク収容部５８内のインクをインク出口５３から供給可能な状態とすることをいう。そのため、インク出口５３が開放された状態では、インク補充容器３６が収容するインクをインク貯留部３８に補充することができる。インク入口４１とインク出口５３を接続するとは、インク出口５３とインク入口４１を介してインク流出路５９とインク流入路４０とを連通させることをいう。制御部６３は、インク出口５３とインク入口４１が接続可能な位置に位置した状態でインク出口５３を開放することでインク出口５３とインク入口４１の接続を促す。換言すると、インク出口５３は、装置側端子４９と容器側端子５６の電気的な接続状態に基づいてインク入口４１との接続を促される。
【００５６】
上記実施形態によれば、以下のような効果を得ることができる。
（１）制御部６３は、装置側端子４９と容器側端子５６の電気的な接続状態に基づいてインク出口５３とインク入口４１の接続を促すため、インク補充容器３６とインク貯留部３８を適切な組み合わせで接続できる。したがって、インク補充容器３６に形成されたインク出口５３がインク貯留部３８に形成されたインク入口４１に誤って接続され、インク貯留部３８に誤った色のインクが補充される虞を低減できる。
【００５７】
（２）インク出口５３は、開放機構６４により開放される。そのため、容易にインク入口４１とインク出口５３の接続を促すことができる。
（３）開放機構６４は、閉塞部６０により塞がれたインク出口５３をインク入口４１が形成されたインク注入部３９を移動させて開放する。そのため、インク出口５３とインク入口４１を容易に接続できる。
【００５８】
（４）報知部６５により接続状態を報知するため、接続状態を認識しやすくできる。
（５）複数の装置側端子４９は、対応する各々のインク入口４１に対する配置位置が互いに異なる。そのため、制御部６３は、容器側端子５６と装置側端子４９とが接続したか否かに応じて接続動作を実行することができる。
【００５９】
（６）複数の装置側係合部４４は、互いに形状が異なる。そのため、インク補充容器３６とインク貯留部３８の組み合わせが正しい場合に容器側係合部５４と装置側係合部４４を係合可能とすることでインク補充容器３６とインク貯留部３８が誤った組み合わせで接続される虞を低減できる。
【００６０】
（７）制御部６３は、記憶部６７に記憶された容器情報に基づいて接続動作を実行する。そのため、インク補充容器３６とインク貯留部３８との組み合わせが正しい場合に行う接続動作の精度を向上できる。
【００６１】
（８）インク出口５３は、装置側端子４９と容器側端子５６の電気的な接続状態に基づいてインク入口４１との接続を促される。そのため、インク補充容器３６に形成されたインク出口５３がインク貯留部３８に形成されたインク入口４１に誤って接続され、インク貯留部３８に誤った色のインクが補充される虞を低減できる。
【００６２】
（９）インク流出路５９を介してインク収容部５８と連通するインク出口５３がインク供給部５２の先端に形成され、容器側端子５６がインク供給部５２の外周に設けられている。そのため、インク出口５３をインク入口４１に近づけることで容器側端子５６を装置側端子４９に容易に接続できる。
【００６３】
上記実施形態は以下に示す変更例のように変更してもよい。上記実施形態と下記変更例とは、任意に組み合わせてもよい。下記変更例に含まれる構成同士を任意に組み合わせてもよい。
【００６４】
・図１０，図１１に示すように、インク消費装置１２は、開放機構の一例である開弁機構６９を備えてもよい。インク補充容器３６は、閉塞部の一例である第１弁機構７０を備えてもよい（第１変更例）。開弁機構６９は、第１弁機構７０を開弁させてインク出口５３を開放する。インク流出路５９は、弾性変形可能なチューブ７１により形成してもよい。
【００６５】
インク流出路５９の断面積は、インク収容部５８側よりもインク出口５３側が小さいことが好ましい。第１弁機構７０は、チューブ７１を外側から囲む円環状の弁部材７２と、弁部材７２をインク出口５３側に付勢するばねなどの付勢部材７３と、を備える。開弁機構６９は、アクチュエーター（図示略）の駆動により移動可能に設けられている。
【００６６】
図１０に示すように、第１弁機構７０は、付勢部材７３に付勢された弁部材７２がチューブ７１を外部から押し潰してインク流出路５９を閉塞し、インク出口５３を閉じる。
図１１に示すように、制御部６３は、開弁機構６９を制御して接続動作を実行する。すなわち、開弁機構６９は、付勢部材７３の付勢力に抗して弁部材７２を移動させて第１弁機構７０を開弁し、インク出口５３を開放する。これにより制御部６３は、インク出口５３とインク入口４１の接続を促し、インク収容部５８とインク貯留部３８は、接続されたインク出口５３及びインク入口４１を介して連通する。
【００６７】
・図１２，図１３に示すように、インク補充容器３６は、閉塞部の一例である第２弁機構７４を備えてもよい（第２変更例）。第２弁機構７４は、インク出口５３の内周に設けられたリング状の出口シール７５と、出口シール７５に対して移動可能な移動シール７６と、移動シール７６を出口シール７５側に付勢する付勢部材７３と、を備える。
【００６８】
図１２に示すように、第２弁機構７４は、付勢部材７３が移動シール７６を出口シール７５に対して付勢してインク出口５３を塞ぐ。
図１３に示すように、制御部６３は、開放機構６４を制御して接続動作を実行する（制御部６３、開放機構６４については、図７参照）。すなわち、開放機構６４は、タンクケース４２の上面４２ａからの突出量が多くなるようにインク注入部３９を移動させ、移動シール７６を出口シール７５から離れるように移動させる。これによりインク出口５３が開放される。
【００６９】
・上記第２変更例において、移動シール７６の形状は、任意に変更してもよい。例えば、移動シール７６は、球体、楕円体、柱体などとしてもよい。
・インク補充容器３６は、閉塞部の一例である容器側シャッターを備えてもよい。開放機構６４は、容器側シャッターを開くことでインク出口５３を開放してもよい。容器側シャッターは、インク出口５３をインク供給部５２の外側から覆うことでインク出口５３を塞ぎ、インク出口５３を外部に露出させることでインク出口５３を開放してもよい。制御部６３は、装置側端子４９と容器側端子５６の接続状態に基づいて容器側シャッターを開くことで接続動作を実行してもよい。
【００７０】
・インク消費装置１２は、閉塞部の一例である装置側シャッターを備えてもよい。開放機構６４は、装置側シャッターを開くことでインク入口４１を開放してもよい。装置側シャッターは、インク入口４１をインク注入部３９の外部から覆うことでインク入口４１を塞ぎ、インク入口４１を外部に露出させることでインク入口４１を開放してもよい。制御部６３は、装置側端子４９と容器側端子５６の接続状態に基づいて装置側シャッターを開くことで接続動作を実行してもよい。装置側シャッターは、各インク入口４１ごとに設けた個別シャッターとしてもよいし、全てのインク入口４１または複数のインク入口４１を覆う複合シャッターとしてもよい。
【００７１】
・制御部６３は、栓３５を閉塞部の一例として機能させてもよい。栓３５は、閉位置に位置する場合にインク注入部３９に係合し、インク入口４１を塞ぐ。開放機構６４は、閉位置に位置する栓３５を開位置に移動させることでインク入口４１を開放してもよい。制御部６３は、栓３５の開位置への移動を許可することでインク入口４１とインク出口５３の接続を促してもよい。
【００７２】
・インク補充容器３６は、インク供給部５２の先端に閉塞部の一例であるフィルムを取り付けてインク出口５３を塞いでもよい。開放機構６４は、インク注入部３９を移動させてフィルムを破ることでインク出口５３を開放してもよい。インク消費装置１２は、インク注入部３９とは別にフィルムを破る針を備えてもよい。開放機構６４は、針を移動させてフィルムを破ることでインク出口５３を開放してもよい。インク注入部３９は、先端が尖った形状としてもよい。
【００７３】
・インクタンク２３は、インク注入部３９を備えない構成としてもよい。インク入口４１は、タンクケース４２に開口するように形成してもよい。例えば、インクタンク２３は、タンクケース４２の上面４２ａにインク入口４１を形成してもよい。
【００７４】
・インク注入部３９とタンクケース４２は一体で形成してもよい。インク注入部３９は、タンクケース４２の上面４２ａから突出する突出量が変化しないように形成してもよい。
【００７５】
・インクタンク２３は、アダプター２４に対して相対移動可能に設けてもよい。制御部６３は、インクタンク２３ごとインク注入部３９を移動させて接続動作を実行してもよい。例えばインク補充容器３６がアダプター２４に装着されて装置側端子４９と容器側端子５６が接続すると、制御部６３は、対応するインクタンク２３を上昇させてインク出口５３を開放してもよい。
【００７６】
・装置側係合部４４と容器側係合部５４は、装置側凹凸部４７と容器側凹凸部５５を備えない構成としてもよい。複数の装置側係合部４４は、第１凹部４５及び第２凹部４６の形状を異ならせることで、互いの形状を異ならせてもよい。
【００７７】
・複数の装置側端子４９は、対応するインク入口４１に対する直線間隔、幅方向における間隔、奥行方向における間隔、鉛直方向における間隔のうち、少なくとも１つの間隔が互いに異なるように設けてもよい。
【００７８】
・インク消費装置１２は、アダプター２４を備えない構成としてもよい。
・装置側係合部４４は、インクタンク２３に設けてもよい。
・装置側端子４９は、インクタンク２３に設けてもよい。装置側端子４９は、カバー２５や筐体２６など、任意の位置に設けてもよい。装置側端子４９は、インク補充容器３６からインク貯留部３８にインクを補充する場合に、容器側端子５６と接続可能な位置に位置することが好ましい。また、装置側端子４９の大きさ、形状は、上述した実施形態のものに限らない。
【００７９】
・インク出口５３は、インク供給部５２の先端とは異なる位置に形成してもよい。インク補充容器３６は、インク供給部５２を備えない構成としてもよい。例えば、インク容器本体５１の先端をインク出口５３としてもよい。
【００８０】
・容器側端子５６は、インク補充容器３６において任意の位置に設けることができる。例えば、容器側端子５６は、インク容器本体５１や容器側係合部５４の外周、容器側係合部５４の外周とインク出口５３との間の位置などに設けてもよい。また、容器側端子５６の大きさ、形状は、上述した実施形態のものに限らない。
【００８１】
・インク消費装置１２は、インクタンク２３を備えない構成としてもよい。すなわち、インクタンク２３は、インク消費装置１２に対して着脱可能に設けてもよい。
・インクタンク２３は、キャリッジ３２と共に移動するように、キャリッジ３２に搭載してもよい。
【００８２】
・インク補充容器３６は、記憶部６７を備えない構成としてもよい。
・複数の装置側係合部４４は、互いに同じ形状としてもよい。
・インク消費装置１２は、装置側係合部４４を備えない構成としてもよい。インク補充容器３６は、容器側係合部５４を備えない構成としてもよい。制御部６３は、装置側端子４９と容器側端子５６とが接続した場合に、接続動作を実行してもよい。
【００８３】
・インク消費装置１２は、１つのインクタンク２３と、１つの装置側端子４９と、を備える構成としてもよい。
・インクタンク２３は、複数のインク貯留部３８と、複数のインク入口４１と、を有してもよい。
【００８４】
・複数の装置側端子４９は、それぞれ対応するインク入口４１に対して同じ位置に設けてもよい。制御部６３は、容器側端子５６と装置側端子４９が接続した場合に、容器情報に含まれるインクの色がインク貯留部３８に貯留されるインクの色と同じ場合に接続動作を実行してもよい。
【００８５】
・装置側端子４９は、インク消費装置１２において任意の位置に設けることができる。例えば、装置側端子４９は、アダプター２４の上面に設けてもよい。装置側端子４９は、インクタンク２３、インク注入部３９の外周、カバー２５、栓３５などに設けてもよい。
【００８６】
・表示部２１を報知部の一例として機能させてもよい。制御部６３は、表示部２１に接続状態を表示してもよい。
・制御部６３は、表示部２１に表示したメッセージや、音声などにより、ユーザーに対してインク入口４１とインク出口５３の接続を促してもよい。
【００８７】
・インク補充容器３６は、閉塞部６０を備えない構成としてもよい。
・インク消費装置１２は、開放機構６４を備えない構成としてもよい。
・装置側端子４９と容器側端子５６は、無線によって電気的に接続可能としてもよい。すなわち、装置側端子４９は、容器側端子５６と近接した場合に、容器側端子５６と電気的に接続可能としてもよい。
【００８８】
・インクとは、水性インク、油性インク、ジェルインク、ホットメルトインク等の各種液体組成物を包含するものとする。
・インク消費装置１２は、媒体１５にインクを付着させることにより文字や絵、写真などの画像を印刷する装置であって、シリアルプリンター、ラテラル式プリンター、ラインプリンター、ページプリンター、オフセット印刷装置、捺染印刷装置などとしてもよい。
【符号の説明】
【００８９】
１１…複合機、１２…インク消費装置、１３…画像読取装置、１５…媒体、１６…排出部、１７…操作パネル、１８…タンクユニット、２０…操作部、２１…表示部、２３…インクタンク、２３Ａ…第１インクタンク、２３Ｂ…第２インクタンク、２４…アダプター、２５…カバー、２６…筐体、２７…窓部、２９…印刷部、３０…供給チューブ、３１…インク噴射ヘッド、３２…キャリッジ、３４…回転機構、３５…栓、３６…インク補充容器、３８…インク貯留部、３９…インク注入部、４０…インク流入路、４１…インク入口、４２…タンクケース、４２ａ…上面、４４…装置側係合部、４５…第１凹部、４６…第２凹部、４７…装置側凹凸部、４８…挿通孔、４９…装置側端子、５１…インク容器本体、５２…インク供給部、５３…インク出口、５４…容器側係合部、５５…容器側凹凸部、５６…容器側端子、５８…インク収容部、５９…インク流出路、６０…閉塞部、６２…接続機構、６３…制御部、６４…開放機構、６５…報知部、６７…記憶部、６９…開弁機構（開放機構の一例）、７０…第１弁機構（閉塞部の一例）、７１…チューブ、７２…弁部材、７３…付勢部材、７４…第２弁機構（閉塞部の一例）、７５…出口シール、７６…移動シール。
【図１】
2019038170.tif 000003
【図２】
2019038170.tif 000004
【図３】
2019038170.tif 000005
【図４】
2019038170.tif 000006
【図５】
2019038170.tif 000007
【図６】
2019038170.tif 000008
【図７】
2019038170.tif 000009
【図８】
2019038170.tif 000010
【図９】
2019038170.tif 000011
【図１０】
2019038170.tif 000012
【図１１】
2019038170.tif 000013
【図１２】
2019038170.tif 000014
【図１３】
2019038170.tif 000015